(57)【要約】 【課題】  鍵の紛失の虞のない宅配システムを構築できるようにした宅配物収容容器、並びに宅配物収容装置を提供することを目的とするものである。【解決手段】  宅配物が宅配されて収容される宅配物収容容器本体２と、この宅配物収容容器本体２に開閉自在に設けられた蓋体３とを備え、前記宅配物収容容器本体２と前記蓋体３とを施錠及び解錠するダイヤル式の錠４を設けたことを特徴とするものである。【選択図】    図１
2007159621.tif 000002
【特許請求の範囲】
【請求項１】
宅配物が宅配されて収容される宅配物収容容器本体と、この宅配物収容容器本体に開閉自在に設けられた蓋体とを備え、
前記宅配物収容容器本体と前記蓋体とを施錠及び解錠するダイヤル式の錠を設けたことを特徴とする宅配物収容容器。
【請求項２】
筐体と、
筐体に設けられた上段側容器、及び下段側容器と、
上段側容器を施錠・解錠する上段側錠と、
下段側容器を施錠・解錠する下段側錠と、
筐体に上下方向へスライド可能に設けられた押上バーとを備え、
前記上段側錠はダイヤル式に形成され
前記押上バーは前記上段側錠の解錠時に上方へスライド可能となって前記上段側容器の蓋を押し上げて開放させる構造であり、
前記下段側錠は前記押上バーの上方へのスライドによって解錠し、且つ、下方へのスライドによって施錠する構造であることを特徴とする宅配物収容装置。
【請求項３】
押上バーは足踏みレバーを備え、この押上バーは、足踏みレバーを足で踏むことによって上方へスライドし、且つ、この足踏みレバーから足を外すことにより自重によって下方へスライドすることを特徴とする請求項２に記載の宅配物収容装置。
【請求項４】
前記容器本体内に保冷材を設置することを特徴とする請求項１に記載の宅配物収容容器。
【請求項５】
前記容器内に保冷材を設置することを特徴とする請求項２又は請求項３に記載の宅配物収容装置。
【発明の詳細な説明】
【技術分野】
【０００１】
本発明は、宅配物収容容器の錠の構造に係わり、特に、ダイヤルによって施錠、解錠できるようにした宅配物収容容器に関するものである。
【背景技術】
【０００２】
図１２は、従来技術の宅配物収容容器１００を牛乳宅配用のボックスに適用した場合を示す。この宅配物収容容器１００は、容器本体１０１と蓋体１０２とから構成されている。容器本体１０１は上面が開口し、この開口を開閉自在に蓋体１０２が設けられている。
【０００３】
容器本体１０１の後側と、蓋体１０２の後側とは、蝶番（図示せず）によって連結されて、容器本体１０１の前側が開閉するようになっている。蓋体１０２の前側の端縁には、引っ掛け片１０３が下方へ向けて設けられている。この引っ掛け片１０３には、引っ掛け孔１０４が設けられている一方、容器本体１０１には、この引っ掛け孔１０４に嵌合する引っ掛け突起１０５が設けられている。
【０００４】
又、容器本体１０１の前側には、錠１０６が設けられている。この錠１０６は、鍵孔１０７と、鍵１０８を備えている。この錠１０６は、鍵１０８を鍵孔１０７に差し込んで、鍵１０８を回転することにより、施錠，解錠をするようになっている。
【０００５】
そして、牛乳の宅配者は、蓋体１０２を開けて、容器本体１０１内に牛乳を入れて、蓋体１０２を閉じた後、錠１０６の鍵孔１０７に鍵１０８を差し込んで回転することにより、施錠する。
【０００６】
一方、家人が、容器本体１０１内から牛乳を取り出す場合には、鍵孔１０７に鍵１０８を差し込んで回転することにより解錠した後、容器本体１０１内から牛乳を取り出す。
【発明の開示】
【発明が解決しようとする課題】
【０００７】
しかし、前述のように構成された宅配物収容容器においては、牛乳の宅配者と家人との少なくとも一方が鍵１０８を紛失した場合には、宅配者が牛乳を宅配容器に宅配し、施錠して、家人がこの宅配容器から牛乳を取り出すという宅配システムが成立しなくなるという問題がある。
【０００８】
そこで、本発明は、鍵の紛失の虞のない宅配システムを構築できるようにした宅配物収容容器、並びに宅配物収容装置を提供することを目的とするものである。
【課題を解決するための手段】
【０００９】
請求項１に記載された発明は、宅配物が宅配されて収容される宅配物収容容器本体と、この宅配物収容容器本体に開閉自在に設けられた蓋体とを備え、
前記宅配物収容容器本体と前記蓋体とを施錠及び解錠するダイヤル式の錠を設けたことを特徴とするものである。
【００１０】
請求項２に記載の発明は、筐体と、
筐体に設けられた上段側容器、及び下段側容器と、
上段側容器を施錠・解錠する上段側錠と、
下段側容器を施錠・解錠する下段側錠と、
筐体に上下方向へスライド可能に設けられた押上バーとを備え、
前記上段側錠はダイヤル式に形成され
前記押上バーは前記上段側錠の解錠時に上方へスライド可能となって前記上段側容器の蓋を押し上げて開放させる構造であり、
前記下段側錠は前記押上バーの上方へのスライドによって解錠し、且つ、下方へのスライドによって施錠する構造であることを特徴とするものである。
【００１１】
請求項３に記載の発明は、請求項２に記載の宅配物収容装置において、押上バーは足踏みレバーを備え、押上バーは、足踏みレバーを足で踏むことによって上方へスライドし、且つ、この足踏みレバーから足を外すことにより自重によって下方へスライドすることを特徴とするものである。
【００１２】
請求項４に記載の発明は、請求項１に記載の宅配物収容容器において、容器本体内に保冷材を設置したことを特徴とするものである。
【００１３】
請求項５に記載の発明は、請求項２乃至請求項３に記載の宅配物収容装置において、容器内に保冷材を設置したことを特徴とするものである。
【発明の効果】
【００１４】
請求項１に記載の発明によれば、宅配物収容容器本体と蓋体とは、ダイヤル式の錠によって施錠・解錠することができるため、鍵を紛失する虞がない。
【００１５】
請求項２に記載の発明によれば、上段側容器に設けられているダイヤル式の錠を解錠し、押上バーを上方へ押し上げることにより、下段側容器を解錠状態にすることができる。又、押上バーを下方へスライドさせて、上段側容器のダイヤル式の錠を施錠することにより、上段側容器と下段側容器の双方を施錠することができる。
【００１６】
請求項３に記載の発明によれば、足踏みレバーを足で踏むことにより、押上バーを容易に上方へスライドさせることができる。
【００１７】
請求項４に記載の発明によれば、容器本体内に収容された宅配物の品質を保持することができる。
【００１８】
請求項５に記載の発明によれば、容器内に収容された宅配物の品質を保持することができる。
【発明を実施するための最良の形態】
【００１９】
図１乃至図３は、宅配物収容容器の実施形態を示す。図１は、宅配物収容容器の外観を示す。図２は、施錠状態と解錠状態を示すために、鍵部が鍵孔に嵌合した状態を示す図である。図３は、摘み部の周囲に目盛りが設けられている状態を示す図である。
【００２０】
宅配物収容容器１は、宅配物収容容器本体２と、この宅配物収容容器本体２に開閉自在に取り付けられた蓋体３とから構成されている。蓋体３は、宅配物収容容器本体２の後側に回転自在に取り付けられている。宅配物収容容器本体２の前側には、錠４が設けられている。この錠４は、ダイヤル式に形成されている。
【００２１】
この錠４は、図１に示すように、蓋体３に設けられた鍵部５と、宅配物収容容器本体２に設けられた鍵孔６とから構成されている。鍵部５は、蓋体３の表面に突出して回転自在に設けられた二つの摘み部７と、この摘み部７から蓋体３の内側に突出して設けられた二つの鍵棒８とから構成されている。又、二つの鍵孔６は、宅配物収容容器本体２に取り付けられたプレート９に穿設されている。ここで、前記各鍵棒８の先端には、横方向に突出する突起８aが形成されている。又、前記鍵孔６は、円形の孔から長孔６aが形成された形状である。
【００２２】
鍵部５の摘み部７を回転して、図２中、実線で示すように、鍵棒８の突起８aが、鍵孔６の長孔６aに一致した状態では、突起８aが、長孔６aを挿通できるため、錠４は解錠状態である。一方、同図２中、二点鎖線で示すように、鍵棒８の突起８aが、鍵孔６の長孔６aに一致しない状態では、鍵棒８の突起８aが、鍵孔６の長孔６aを挿通できないため、錠４は施錠状態である。又、図３に示すように、蓋体３の表面には、錠４の各摘み部７の回転量を目視するための各目盛り部１０が設けられている。各目盛り部１０に例えば１０のメモリを設けた場合には、二つの目盛り部１０によって合計１００通りの組み合わせが可能となる。
【００２３】
次に、このように構成された宅配物収容容器の作用について説明する。通常時、宅配物収容容器は施錠状態にある。そして、宅配業者が、宅配物を宅配して、宅配物収容容器内に収容する場合には、錠４の摘み部７を回転して、錠４を解錠状態にして、蓋体３を開ける。この状態において、宅配物収容容器本体２内に宅配物を収容して、蓋体３を閉じて、錠４の摘み部７を回転して、錠４を施錠状態にする。
【００２４】
次に、家人が、宅配物収容容器１内の宅配物を取り出す場合には、錠４の摘み部７を回転して、錠４を解錠状態にして、蓋体３を開ける。この状態において、宅配物収容容器本体２内から宅配物を取り出すことができる。宅配物収容容器１は錠４を備えているため、宅配物収容容器１内に収容された宅配物の盗難防止が可能である。
【００２５】
このように、錠４がダイヤル式のため、従来の錠構造のように、鍵を紛失する虞がない。又、図１中、一点鎖線で示すように、宅配物収容容器１内に発泡スチロール製の保冷容器Ｈを収容しても良い。この場合には、宅配物収容容器１内に収容された収容物の保冷を保持できて、品質保持を可能とすることができる。
【００２６】
図４乃至図９は、第２実施形態を示す。図４は、宅配物収容装置２１を正面側から観た状態の斜視図である。図５は、宅配物収容装置２１を背面側から観た状態の斜視図である。図６は、宅配物収容装置２１を分解した状態の斜視図である。図７は下段側容器の下段側錠を示す斜視図である。図８は上段側容器と押上バーとの関係を示す図である。図９は、押上バーを押し上げる機構を示す図である。
【００２７】
この実施形態においては、前述した第１実施形態の宅配物収容容器を筐体２２の上段に上段側容器２３として配置し、更に、この上段側容器２３の下段に下段側容器２４を配置した二段構造の場合を示す。
【００２８】
図６に示すように、筐体２２は、基台２５と、この基台２５から立設された側壁２６と、この側壁２６の上縁に設けられた枠部２７とを備えた構造である。筐体２２は、前面と上面が開放し、内側は前記下段側容器２４を収容できる収容空間２８に成っている。又、枠部２７は、前記上段側容器２３を設置できる大きさに形成されて、枠部２７に上段側容器２３を設置できるようになっている。
【００２９】
前記下段側容器２４は、後述する下段側錠によって施錠・解錠できる構造になっている。又、前記上段側容器２３は、前述したダイヤル式の錠（以下、上段側錠４という）によって施錠・解錠できる構造になっている。
【００３０】
次に、前記下段側錠の構造について説明する。図５は、宅配物収容容器装置の背面を示す。同図５に示すように、宅配物収容装置２１の背面には、上下方向に押上バー２９が設けられている。この押上バー２９は、上下で二つに分割されて、下側の下段側押上バー３０と、上側の上段側押上バー３１とから構成されている。
【００３１】
前記下段側押上バー３０は、筐体２２の背面に形成されたスライド溝に嵌め込まれて上下方向へスライド可能になっている。この下段側押上バー３０の途中からは、図６及び図７に示すように、鍵部３２が筐体２２内へ突出して設けられている。この鍵部３２は、軸部３３と、この軸部３３の先端に設けられた拡径部３４とから構成されている。この軸部３３は、図７に示すように、筐体２２の背面に形成された長孔３５に沿って上下方向へ移動できるようになっている。
【００３２】
又、図６及び図７に示すように、前記下段側容器２４の背面には、鍵孔３６が形成されている。この鍵孔３６は、細幅溝３７とこの細幅溝３７の上端に形成された大径孔３８とから構成されている。前記鍵部３２の軸部３３は、前記細幅溝３７を挿通できる太さに形成されている。又、前記鍵部３２の拡径部３４は、鍵孔３６の細幅溝３７を挿通できないが、この鍵孔３６の大径孔３８を挿通できる大きさに形成されている。そして、鍵部３２の拡径部３４が、下段側容器２４の細幅溝３７に嵌合しているときには、下段側容器２４を筐体外へ取り出すことができないため、施錠状態にある。一方、鍵部３２の拡径部３４が、下段側容器２４の大径孔３８に嵌合しているときには、下段側容器２４を筐体２２外へ取り出すことができるため、解錠状態にある。
【００３３】
又、前記上段側押上バー３１は、図５に示すように、上段側容器２３の背面に形成された支持部Sによって、上下方向へスライド自在に支持されている。この上段側押上バー３１は、図８に示すように、この上段側押上バー３１の上端に形成された引っ掛け孔４０が、蓋体４１に形成された引っ掛け部４２に引っ掛かることによって、蓋体４１に支持されている。又、この上段側押上バー３１の上端は、蓋体４１に形成されたレバー受部４３に当接可能に形成されて、この上段側押上バー３１が蓋体４１を上方へ押し上げて開放可能な構造になっている。又、前記筐体２２の側壁には孔２６aが形成され、一方、下段側容器２４には突起２４ｂが形成されている。下段側容器２４の突起２４ｂが前記筐体２２の孔２６aに嵌ることにより、下段側容器２４がこの突起２４ｂを中心に回転して、下段側容器２４が前側へ向けて迫り出すように形成されている。
【００３４】
次に、前記押上バー２９を上方へ押し上げる構造について説明する。図９に示すように、押上バー２９の下端は、足踏みレバー４４の後端に回転自在に取り付けられている。この足踏みレバー４４の途中は、前記筐体２２の基台２５に回転軸４５によって回転自在に支持されている。又、この足踏みレバー４４の先端には、足踏みペダル４６が設けられて足踏み可能な構造になっている。
【００３５】
そして、以上のように形成された押上バー２９が通常の状態、即ち、押し上げられない位置にある場合には、図７に示すように、下段側押上バー３０の鍵部３２の拡径部３４が、下段側容器２４の細幅溝３７に嵌合するため、下段側容器２４は筐体２２外へ取り出せない状態、即ち、施錠状態にある。
【００３６】
次に、宅配業者が、宅配物をこの宅配物収容装置２１内へ収容する場合には、この宅配物収容装置２１の上段側容器２３のダイヤル式の上段側錠４（図４に示す）を解錠状態にする。
【００３７】
次に、図９に示す足踏みペダル４６を足で踏むと、足踏みレバー４４が回転して、押上バー２９を上方へ押し上げる。
【００３８】
すると、図８に示すように、上段側容器２３の蓋体４１が、この押上バー２９の上端に押し上げられて開放して、上段側容器２３内へ宅配物を収容することができる。
【００３９】
又、押上バー２９が上方へ押し上げられることにより、図７に示すように、鍵部３２の軸部３３が下段側容器２４の細幅溝３７を上方へ向けてスライドして、鍵部３２の拡径部３４が大径孔３６から外れるため、解錠状態になって、下段側容器２４を筐体２２外へ取り出して、この下段側容器２４内へ宅配物を収容することができる。
【００４０】
その後、下段側容器２４を筐体２２内へ収容して、足踏みペダル４６から足を外すと、押上バー２９は自重によって下方へスライドする。これによって、上段側容器２３の蓋体４１が自重によって閉鎖する。又、図７に示すように、筐体２２の鍵部３２の拡径部３４が、下段側容器２４の鍵孔３６の細幅溝３７に嵌合して施錠状態になる。
【００４１】
次に、家人が宅配物収容装置２１内から宅配物を取り出す場合には、上段側容器２３のダイヤル式の上段側錠４を解錠状態にした後、前述と同様に、足踏みペダル４６を足で踏むことによって、宅配物収容装置２１内から宅配物を取り出すことができる。このように、宅配物収容装置２１は錠を備えた構造であるため、上段側容器２３と下段側容器２４内に収容された宅配物の盗難防止を図ることができる。更に、図４に示すように、下段側容器２４に長孔２４aを設けて、この長孔２４を新聞受や郵便受として用いることが可能である。
【００４２】
図１０は、第３実施形態を示す。この第３実施形態は下段側容器２４を筐体２２外へ取り出すための取出構造を示す。下段側押上バー３０の途中には、前方へ向けて突起５１が形成されている。又、下段側容器２４の背面５２が下側から上方へ向かうにつれて後方へ向けて突出するように傾斜させて形成され、しかも、下段側容器２４を収容するための筐体の収容空間２８の底面５３の中央には凸部５４が形成され、且つ、この収容空間２８の前側には、滑止め部５５を設けられている。
【００４３】
次に、作用について説明する。足踏みペダルを踏み、押上げバーの下段側バー３０を上方へ押し上げる。すると、この下段側バー３０に設けられている突起５１が上方へ移動しながら、下段側容器２４の背面５２を前方へ押すと、下段側容器２４は凸部５４を中心として、前側へ傾く一方、下段側容器２４は滑止め部５５によって前方へ滑るようにして移動できないため、この下段側容器２４は、この滑止め部５５を中心にして前方へ傾くようにせり出して、下段側容器２４が外部へ開放するものである。
【００４４】
図１１は、宅配物収容容器１の錠の別の実施形態を示す。この実施形態の特徴は、鍵６１の摘み部６２に対して、鍵棒６３を差し込み自在に設けた点に有る。図１１において、摘み部６２の周囲に目盛り６４を設け、この摘み部６２の下面に鍵棒６３を差し込むようにして、この鍵棒６３は摘み部６２の下面に着脱自在に取り付けられる。そして、この錠の解錠の位置を変更する場合には、摘み部６２から鍵棒６３を抜いた後、図１１中、二点鎖線で示すように、この鍵棒６３を若干回転させた状態で摘み部６２の下面に差し込むようにして取り付けるようになっている。この実施形態においては、錠の施錠・解錠位置を容易に変更させることができて、宅配物の盗難に効率よく対応することができる。
【図面の簡単な説明】
【００４５】
【図１】宅配物収容容器の斜視図である。
【図２】鍵が鍵孔に嵌合した状態を示す横断面図である。
【図３】摘み部の周囲に目盛りが設けられている状態を示す図で有る。
【図４】宅配物収容装置を表側から観た状態の斜視図である。
【図５】宅配物収容装置を裏側から観た状態の斜視図である。
【図６】宅配物収容装置の分解斜視図である。
【図７】下段側容器の下段側錠を示す斜視図である。
【図８】上段側容器と押上バーの関係を示す斜視図である。
【図９】押上バーを押し上げる機構を示す図である。
【図１０】下段側容器を筐体外へせり出すための構造を示す図である。
【図１１】宅配物収容容器の錠の別の実施形態を示す。
【図１２】従来技術を示す図である。
【符号の説明】
【００４６】
１  宅配物収容容器
２  宅配物収容容器本体
３  蓋体
２１  宅配物収容装置
２３  上段側容器
２４  下段側容器
２９  押上バー
【図１】
2007159621.tif 000003
【図２】
2007159621.tif 000004
【図３】
2007159621.tif 000005
【図４】
2007159621.tif 000006
【図５】
2007159621.tif 000007
【図６】
2007159621.tif 000008
【図７】
2007159621.tif 000009
【図８】
2007159621.tif 000010
【図９】
2007159621.tif 000011
【図１０】
2007159621.tif 000012
【図１１】
2007159621.tif 000013
【図１２】
2007159621.tif 000014